(57)【要約】【課題】パッシブセンサ装置において、節電を図りながらしかもモードの切換を無接触でかつ必要時に直ちに行う。【解決手段】パッシブセンサ装置１は、熱源を検知してＯＮ／ＯＦＦする赤外線センサ１０と、赤外線センサ１０のＯＮ／ＯＦＦについての特定のパターンを、例えば通信モードへの切り替え処理と関連づけて記憶する記憶手段を備えた制御部２０とを有し、制御部２０は赤外線センサ１０のＯＮ／ＯＦＦパターンを監視して、設定者が行う特定の動作に基づき出力する赤外線センサ１０のＯＮ／ＯＦＦパターンが前記特定のパターンと一致したとき、通信モードへの切り替え処理を行う。【選択図】    図１
2010085119.tif 000002
【特許請求の範囲】
【請求項１】
熱源を検知してＯＮ／ＯＦＦするパッシブセンサと、前記パッシブセンサのＯＮ／ＯＦＦについての特定のパターンを特定モードへの切り替え処理と関連づけて記憶する記憶手段と、前記パッシブセンサのＯＮ／ＯＦＦパターンを監視して、前記パッシブセンサのＯＮ／ＯＦＦパターンが前記特定のＯＮ／ＯＦＦパターンと一致したと判断したとき、前記特定のモードの切り替え処理を行う制御部とを備えたことを特徴とするパッシブセンサ装置。
【請求項２】
請求項１に記載されたパッシブセンサ装置において、
通信部を備え、前記特定のモードは通信モードであることを特徴とするパッシブセンサ装置。
【請求項３】
請求項１又は２に記載されたパッシブセンサ装置において、
表示部を備え、前記表示部は前記記憶手段に記憶されたパッシブセンサのＯＮ／ＯＦＦパターンの表示を行うことを特徴とするパッシブセンサ装置。
【請求項４】
請求項３に記載されたパッシブセンサ装置において、
前記表示部は発光部を有し、前記ＯＮ／ＯＦＦパターンの表示は、パッシブセンサが熱源を検知したとき、発光手段の点滅により行うことを特徴とするパッシブセンサ装置。
【請求項５】
請求項３又は４に記載されたパッシブセンサ装置において、
前記パッシブセンサ装置の前記記憶手段は、モードの切り替え準備状態への移行のためのパッシブセンサの第２のＯＮ／ＯＦＦパターンを記憶し、前記制御部は、パッシブセンサのＯＮ／ＯＦＦパターンと第２のＯＮ／ＯＦＦパターンとが一致するとき、前記パッシブセンサのＯＮ／ＯＦＦパターンの表示を行うことを特徴とするパッシブセンサ装置。
【請求項６】
パッシブセンサと、制御部と、通信部を備えたパッシブセンサ装置のモードの切り替え方法であって、
パッシブセンサの特定のＯＮ／ＯＦＦパターンを、当該パターンに対して特定モードへの切り替え処理と関連付けて記憶する記憶工程と、
パッシブセンサが熱源を検知したときのＯＮ／ＯＦＦパターンと、前記記憶されたＯＮ／ＯＦＦパターンとを比較する工程と、
前記両パターンが一致したとき、前記特定モードの切り替え処理を行うモードの切り替え工程と、を有することを特徴とするパッシブセンサ装置のモードの切り替え方法。
【請求項７】
請求項６に記載されたパッシブセンサ装置のモードの切り替え方法において、
パッシブセンサ装置は前記通信部を備え、前記特定モードは通信モードであることを特徴とするパッシブセンサ装置のモードの切り替え方法。
【請求項８】
請求項６又は７に記載されたパッシブセンサ装置のモードの切り替え方法において、
パッシブセンサ装置は表示部を備え、
パッシブセンサが熱源を検知したとき、前記記憶されたＯＮ／ＯＦＦパターンを表示する工程と、
前記表示されたＯＮ／ＯＦＦパターンに従って、前記パッシブセンサをＯＮ／ＯＦＦするよう熱源を操作する工程と、
を有することを特徴とするパッシブセンサ装置のモードの切り替え方法。
【発明の詳細な説明】
【技術分野】
【０００１】
本発明は、パッシブセンサ装置及びパッシブセンサ装置のモードの切り替え方法に関する。
【背景技術】
【０００２】
セキュリティシステムなどで利用されているワイヤレスパッシブセンサ装置（人体などの熱線から放射される遠赤外線の変化を検知するパッシブセンサが内蔵された装置）は、設置される環境が天井などの高い位置であることが多いため、設置時に動作モードに設定した後は、設定変更することが無く、常時動作モードとすることが多い。
また、パッシブセンサ装置の低価格化に対する顧客ニーズなどの理由で、パッシブセンサ装置は、ワイヤレス通信機能を有している場合であっても、送信機能のみに限定して受信機能を持たせないものが多く用いられてきた。
【０００３】
しかし、近年は送受信機能を有するパッシブセンサ装置が市場に投入されてきている。受信機能を有するパッシブセンサ装置は、パッシブセンサ装置の発報先である管理装置などの上位機器、または外部機器から設定情報などの電波信号（コマンド等）を受信することで、モードの切り替えなどを行うことができる。
この場合、パッシブセンサ装置が常時通信モードにあれば上位機器からのコマンドなどの受信に問題はないが、パッシブセンサ装置は通常電池で作動する都合上、できるだけ低消費電力化する必要があるため、パッシブセンサ装置は常時通信モードに設定されておらず、間欠的に通信モードと通信停止モード（スリープ）とを繰り返すか、或いは、上位機器等へ所定タイミングで定期的に問い合わせを行うなどの方法が採られている。
【０００４】
この間欠受信や定期問い合わせの方法は、節電の面からは好ましいが、反面、上位機器などから例えば設定更新のためのコマンドを送信しても、パッシブセンサ装置がスリープ状態にあるときは設定の更新ができず、設定更新を行うためには、パッシブセンサ装置側の次の通信モードの立ち上がりまで待つことになる。そのため、パッシブセンサ装置が設定情報を受け取るまでにタイムラグが生じ、パッシブセンサ装置の保守、調整などを行う場合、作業能率が悪くなるという問題がある。
そこで、パッシブセンサ装置のスイッチを直接手で操作して設定を行うことが考えられるが、パッシブセンサ装置は、通常天井などの高い位置に設定されているため、脚立や梯子などを使ってパッシブセンサ装置のところまで登って行く必要がある。そのため、その作業は手間及び時間を要し、非能率であるという問題もある。
【特許文献１】特開２００３−２１４９４８号公報
【発明の開示】
【発明が解決しようとする課題】
【０００５】
本発明は、パッシブセンサ装置における従来の問題を解決すべくなされたものであって、その目的は、モードの切り替え操作を、パッシブセンサ装置に非接触で、しかもタイムラグなしで容易に行うことができるようにすることである。
【課題を解決するための手段】
【０００６】
本発明はパッシブセンサ装置であって、熱源を検知してＯＮ／ＯＦＦするパッシブセンサと、前記パッシブセンサのＯＮ／ＯＦＦについての特定のパターンを特定モードへの切り替え処理と関連づけて記憶する記憶手段と、前記パッシブセンサのＯＮ／ＯＦＦパターンを監視して、前記パッシブセンサのＯＮ／ＯＦＦパターンが前記特定のＯＮ／ＯＦＦパターンと一致したと判断したとき、前記特定のモードの切り替え処理を行う制御部とを備えたことを特徴とする。
本発明のパッシブセンサ装置は、さらに通信部を備え、前記特定のモードは通信モードであることを特徴とする。
本発明のパッシブセンサ装置は、さらに、表示部を備え、前記表示部は前記記憶手段に記憶されたパッシブセンサのＯＮ／ＯＦＦパターンの表示を行うことを特徴とする。
本発明は、パッシブセンサと、制御部と、通信部を備えたパッシブセンサ装置のモードの切り替え方法であって、パッシブセンサの特定のＯＮ／ＯＦＦパターンを、当該パターンに対して特定モードへの切り替え処理と関連付けて記憶する記憶工程と、パッシブセンサが熱源を検知したときのＯＮ／ＯＦＦパターンと、前記記憶されたＯＮ／ＯＦＦパターンとを比較する工程と、前記両パターンが一致したとき、前記特定モードの切り替え処理を行うモードの切り替え工程と、を有することを特徴とする。
本発明のパッシブセンサ装置のモードの切り替え方法は、さらに、パッシブセンサ装置は前記通信部を備え、前記特定のモードは通信モードであることを特徴とする。
本発明のパッシブセンサ装置のモードの切り替え方法は、さらにパッシブセンサ装置は表示部を備え、パッシブセンサが熱源を検知したとき、前記記憶されたＯＮ／ＯＦＦパターンを表示する工程と、前記表示されたＯＮ／ＯＦＦパターンに従って、前記パッシブセンサをＯＮ／ＯＦＦするよう熱源を操作する工程と、を有することを特徴とする。
【発明の効果】
【０００７】
本発明によれば、通信部を備えたパッシブセンサ装置のモードを切り替える際に、従来のようにパッシブセンサ装置を直接操作したり、或いはパッシブセンサ装置の通信モードの立ち上がりを待つことなく、しかも、パッシブセンサ装置が手の届かない場所に設置されている場合であっても、モードの切り替えを無接触で直ちに行うことができる。
【発明を実施するための最良の形態】
【０００８】
本発明のパッシブセンサ装置の実施形態を添付する図面を参照して説明する。
図１の実線は、パッシブセンサ装置１の第１、２の実施形態に共通する構成のブロック図を示す。このパッシブセンサ装置１は、パッシブセンサである赤外線センサ１０と、パッシブセンサ装置１全体の制御を行うとともに、例えば、熱源の移動又は温度変化に伴う赤外線センサ１０の特定のＯＮ／ＯＦＦパターン等を記憶しておく記憶部を備えた制御部２０と、赤外線センサ１０で検知したパターンを図示しない上位機器（管理装置）に送信する通信部３０とからなっている。
また、図１の破線は、後述するパッシブセンサ装置１の第２の実施形態における、設定した特定のＯＮ／ＯＦＦパターンを表示する、例えばＬＥＤなどからなる表示部４０を示す。
【０００９】
図２は、上記制御部２０を示すブロック図である。
制御部２０は、それぞれバス２００で接続された、ＣＰＵ２０１と、記憶部である制御のためのプログラム等を格納したＲＯＭ２０２及びＣＰＵ２０１のワークエリアとして一時的な記憶領域となるＲＡＭ２０３と、ＩＯ（入出力）ポート２０４、ＡＤ変換部２０５、例えば通信部３０や表示部４０を接続するためのシリアルインターフェース部２０６、割り込み制御部２０７、タイマ部２０８とから成っている。
【００１０】
ＣＰＵ２０１は赤外線センサ１０の出力信号から得たＯＮ／ＯＦＦパターンを、例えばＲＡＭ２０３に記憶する制御を行い、かつ、そのＯＮ／ＯＦＦパターンが予め記憶したＯＮ／ＯＦＦと一致するか否かの判断を行い、信号と一致したときは、そのＯＮ／ＯＦＦパターンに合わせてＩＯポートに接続された表示部４０のＬＥＤを点滅させる制御を行う。
ＡＤ変換部２０５は、赤外線センサ１０の出力がアナログ出力信号である場合にこれをデジタル信号に変換する処理を行う。
シリアルインターフェース部２０６は、他の機器、例えば、赤外線センサ１０、通信部３０との接続を行う。
割り込み制御部２０７は、例えば、赤外線センサ１０が熱源を感知するとＣＰＵ２０１に割り込みを掛ける制御を行う。
タイマ部２０８は、例えば定時応答等のための計時制御を行う。
以上の構成において、赤外線センサ１０で検知した熱源からの赤外線に伴う出力信号は、シリアルインターフェース部２０６を介して取り込まれて、赤外線センサ１０の出力電圧がアナログ電圧であるときはＡＤ変換部２０５でＡＤ変換を行って、例えばＲＡＭ２０３にデジタル信号として記憶などの処理が行われる。
【００１１】
図３は、本実施形態で使用する赤外線センサの一例を示す。この赤外線センサ自体は従来公知又は周知ものである。
例えば、特許文献１（特開２００３−２１４９４８号公報）において従来技術として記載されているものを使用することができる。
即ち、このパッシブセンサ装置は、赤外線センサ（焦電型赤外線センサ等）を用いて監視エリアからの赤外線による熱分布の変化を検知するものである。図３Ａに示すように、半透明のカバー５０を通る監視エリアからの赤外線を凹面鏡５２で反射させ、赤外線センサ１０に集光するか、または、同図３Ｂに示すように、監視エリアからの赤外線をレンズ５４で赤外線センサ１０に集光するように構成し、監視エリアからの赤外線による熱分布の変化を出力電圧の変化として出力する。
【００１２】
図４Ａは、通行人がセンサの監視エリアに入った後同エリアを往復した場合、図４Ｂは通行人がセンサ監視エリアを通過した場合の赤外線センサの出力電圧の変化量を、アナログ出力とデジタル出力波形で示したものである。ここでアナログ出力の場合は図中波線で示す閾値に達したとき、ＣＰＵ２０１はＯＮと判断し、その他の場合はＯＦＦと判断する。
【００１３】
以上は従来の遠赤外線を検知する赤外線センサ１０と同様であるが、本発明の第１の実施形態では、従来の赤外線センサ１０を用いて、人が通行する場合などの通常動作において検知される赤外線センサ１０のＯＮ／ＯＦＦパターンとは明らかに異なる特定のＯＮ／ＯＦＦパターンを例えばＲＡＭ２０３に予め記憶させておく。
即ち、上記特定のＯＮ／ＯＦＦパターンになるように例えば熱源を赤外線センサ１０の監視エリアの内外に意図的に移動させて、赤外線センサ１０に検知させるか、又は、上記特定のＯＮ／ＯＦＦパターンを有する信号を別途作成して記憶させる。この場合、そのＯＮ／ＯＦＦパターンと共に、パッシブセンサ装置１のモードの切り替え、例えば通信モードへの切り替えを対応させて記憶させる。
【００１４】
図４Ｃは、この特定のＯＮ／ＯＦＦパターンの一例を示すものである。この場合は、人が赤外線センサ１０の監視エリア内での往復を所定回繰り返し、その間ＣＰＵ２０１は赤外線センサ１０の出力を監視して、そのＯＮ／ＯＦＦパターン、即ち、（i）アナログ電圧（この場合は波線で示す閾値のところでＯＮ／ＯＦＦを判断）又は（ii）デジタル電圧のＯＮ／ＯＦＦパターンをここではＲＡＭ２０３に記憶させると共に、その記憶させた特定のＯＮ／ＯＦＦパターンと、例えばパッシブセンサ装置１の例えばスリープモードから通信モードへのモードの切り替え処理と対応させておく。
【００１５】
図５は、設定者が当該センサの監視エリアに入ったとき、予め記憶したＯＮ／ＯＦＦパターンを赤外線センサ１０のＯＮ／ＯＦＦパターンとして出力させるために行う動作を示している。
即ち、図５の（i）、（ii）はそれぞれ赤外線センサ１０のアナログ又はデジタル出力電圧の波形を、(iii)は、記憶されたＯＮ／ＯＦＦパターンを示し、（iv）は、この設定されたＯＮ／ＯＦＦパターン（マスク）と同じＯＮ／ＯＦＦパターンを引き出すため、設定者が一例として行う動作、即ち手の動きを示している。
【００１６】
制御部２０のＣＰＵ２０１は、例えば、人を検知すると、次に、熱源の移動に伴う赤外線センサ１０のＯＮ／ＯＦＦパターンを監視して、そのパターンが予め登録されたパターンと一致するか否かを判断し、一致したときは、予め対応付けられたモードの切り替え処理を自動的に行う。
例えば、通信モードに切り替えられたパッシブセンサ装置１は、管理装置（上位機器）などからのコマンドを受信して設定の更新などの動作をリアルタイムで行うことができる。
【００１７】
図６は、本願発明の第２の実施形態を示す。
この実施形態においては、赤外線センサ１０が熱源、ここでは図６Ａに示すように人を感知すると、図６Ｂに示すようにＣＰＵ２０１は、予め登録されたＯＮ／ＯＦＦパターンに従ったタイミングで表示部４０のＬＥＤの点灯・消灯制御を行う。
設定者は、このＬＥＤでの点灯・消灯パターンに合わせて、熱源を操作（即ち、赤外線センサ１０の監視エリア内外を行き来する、手を振る又は生体以外の他の熱源（ここでは人工熱源という）のシャッタ（カバー）を開閉するなど）して赤外線センサをＯＮ／ＯＦＦさせる。
この実施形態では、表示部４０の表示パターンは、点灯と消灯を所定のタイミングで所定回繰り返す。設定者は、これを見て、ＬＥＤが消灯したら、例えば設定者は一端監視エリア外に移動し、ＬＥＤが点灯したら再び監視エリア内に入る。この動作をＬＥＤが点滅を繰り返す間繰り返し行う。
【００１８】
ＣＰＵ２０１は、赤外線センサ１０の出力電圧を監視して、その出力波形から得たＯＮ／ＯＦＦパターンと予め登録したＯＮ／ＯＦＦパターン（マスク）とを比較して、両者が一致したときは、そのＯＮ／ＯＦＦパターンに関連つけて記憶した処理、ここでは通信モードへの切り替え処理を行う。
【００１９】
本実施形態によれば、設定者は、パッシブセンサ装置１のＬＥＤの点滅パターンに合わせて、例えば赤外線センサ１０の監視エリアの出入りを繰り返すだけで、無接触でパッシブセンサ装置１の通信モードへの切り替えを行うことができる。そのため、第１の実施形態のように予め、特定のＯＮ／ＯＦＦパターンを事前に記憶しておく必要がないため便利である。
【００２０】
図７は、設定者が赤外線センサ１０をＯＮ／ＯＦＦさせるために、シャッタ付きの人工熱源を用いた場合において、シャッタの開と閉と赤外線センサ１０の出力電圧との関係を示した図である。
（i）は人工熱源のシャッタの開放と、シャッタ閉、即ちシャッタによる人工熱源の遮蔽とを所定回数交互に繰り返すことを示し、（ii）はその際におけるアナログ信号波形を示し、ここでは波線で示す閾値を越えた電圧を検知したときＯＮとし、その他はＯＦＦとする。（iii）はデジタル電圧波形を示す。
【００２１】
図８は、図７同様にシャッタ付きの人工熱源を用いた場合の人工熱源と赤外線センサ１０のＯＮ／ＯＦＦとの関係を示した図であるが、この実施形態では、表示部４０のＬＥＤの点灯及び消灯時間長に合わせてシャッタの開放と閉成による人工熱源の遮蔽を１回だけを行うことを示している。
【００２２】
通信モードへの切り替えが行われると、パッシブセンサ装置１の通信部３０は、管理装置側などからコマンドなどの電波信号を受信してＣＰＵ２０１は設定或いは設定の更新などの処理を行うか、管理装置側に通信要求信号を発信する処理を行う。
【００２３】
図９は、以上で説明した第１の実施形態のパッシブセンサ装置１におけるモードの切り替え処理手順を説明するフロー図である。
先ず、制御部２０のＣＰＵ２０１は、記憶部に赤外線センサ１０の通常の出力のＯＮ／ＯＦＦパターンとは明確に区別できるＯＮ／ＯＦＦパターン（特定ＯＮ／ＯＦＦパターン）を、ここでは通信モードへの切り替え処理と関連付けて記憶手段、例えばＲＡＭ２０３に記憶させる（Ｓ１０１）。次に、ＣＰＵ２０１は、赤外線センサ１０が熱源を検知したときのＯＮ／ＯＦＦパターンを検知して（Ｓ１０２）、その検知された熱源による赤外線センサ１０のＯＮ／ＯＦＦパターンと上記記憶手段に記憶されたＯＮ／ＯＦＦパターンとを比較する（Ｓ１０３）。比較の結果両者が一致しているときは（Ｓ１０３、ＹＥＳ）、前記特定モード、ここでは通信モードへの切り替え処理を実行する（Ｓ１０４）。
【００２４】
図１０は第２の実施形態のパッシブセンサ装置１におけるモードの切り替え処理手順を説明するフロー図である。
第１の実施形態と同様に、特定ＯＮ／ＯＦＦパターンを、ここでは通信モードへの切り替え処理と関連付けて記憶手段、例えばＲＡＭ２０３に記憶させる（Ｓ２０１）。次に、赤外線センサ１０が熱源を検知したときは（Ｓ２０２、ＹＥＳ）、パッシブセンサ装置１はその表示部４０のＬＥＤを上記記憶されたＯＮ／ＯＦＦパターンに合わせて点滅表示を行う（Ｓ２０３）。
設定者は、前記表示されたＯＮ／ＯＦＦパターンを見て、それに合わせて例えば、赤外線センサ１０の監視エリアに出入りして或いは人工熱源のシャッタを開閉する等して、赤外線センサ１０をＯＮ／ＯＦＦさせ（Ｓ２０４）、その後は、第１の実施形態におけるステップＳ１０２以下と同様の処理、即ち、ＣＰＵ２０１は、赤外線センサ１０が熱源を検知したときのＯＮ／ＯＦＦパターンを検知して（Ｓ２０５）、その検知された熱源による赤外線センサ１０のＯＮ／ＯＦＦパターンと上記記憶手段に記憶されたＯＮ／ＯＦＦパターンとを比較し、比較の結果、両者が一致しているときは（Ｓ２０６、ＹＥＳ）、前記特定モード、ここでは通信モードへの切り替え処理を実行する（Ｓ２０７）。
【００２５】
本実施形態によれば、設定者は赤外線センサ１０が特定のパターンでＯＮ／ＯＦＦするよう動作するか又は人工熱源の操作を行うだけで、パッシブセンサ装置１は直ちに通信モードに移行する。
また、パッシブセンサ装置１は、ＬＥＤなどの表示部を用いて、特定のＯＮ／ＯＦＦパターンを表示するため、設定者はセンサの監視エリアに入ってから、ＬＥＤの点灯パターンを確かめて、その指示通りに赤外線センサ１０をＯＮ／ＯＦＦするよう動作するか又は人工熱源を操作するだけでパッシブセンサ装置１は直ちに通信モードに移行する。
したがって、パッシブセンサ装置１がどこに取り付けられていても、非接触で容易にかつタイムラグが発生せずにモードの切り替えを行うことができる。
【００２６】
以上、赤外線センサ１０のＯＮ／ＯＦＦパターンとパッシブセンサ装置１の通信モードの切り替えについて説明したが、予め登録しておくパターンは当然ことながら一つに限らず、複数のパターンをそれに対応付けたモードの切り替え機能と共に登録しておき、操作者が希望するパターンに応じて、赤外線センサ１０をＯＮ／ＯＦＦすることで、異なるモードの切り替えを行うようにしてもよい。
【００２７】
さらに、予め定めたパターンに従って、設定者が赤外線センサ１０のＯＮ／ＯＦＦを行う場合、例えばストップウオッチを用いて、赤外線センサ１０の監視エリアへの出入りを行うと、パッシブセンサ装置１により確実に認識させることができる。
また、以上の実施形態では、パッシブセンサ装置１は、赤外線センサ１０が熱源、ここでは人を検知すると直ちにそのＯＮ／ＯＦＦパターンの認識と判断を行うが、例えば、モードの切り替え準備状態への移行動作を付加して、設定者は、まず、赤外線センサ１０に所定のＯＮ／ＯＦＦパターンを出力させるように行動（人工熱源の操作も含む）して、パッシブセンサ装置１をモードの切り替え準備状態に移行させ、パッシブセンサ装置１は、モードの切り替え準備状態に移行したときにＬＥＤを所定のパターンで点滅させ、設定者は、そのＬＥＤの点滅パターンに従って赤外線センサ１０をＯＮ／ＯＦＦするよう行動するようにしてもよい。
このように、モードの切り替えに当たって、パッシブセンサ装置１をモードの切り替え状態に移行させてからＬＥＤを表示することで、誤動作をなくし、確実なモード切換を行うことができる。
【図面の簡単な説明】
【００２８】
【図１】本発明の実施形態に係るパッシブセンサ装置を示すブロック図である。
【図２】図１のパッシブセンサ装置の制御部を示すブロック図である。
【図３】本実施形態で使用する赤外線センサ（赤外線センサ）の一例を示す。
【図４】図４Ａは、通行人がセンサの監視エリアに入り監視エリアを往復した場合、同図４Ｂは通行人がセンサ監視エリアを通過した場合の赤外線センサの出力電圧の変化量を、アナログ出力とＡＤ変換したデジタル出力波形で示したものである。図４Ｃは、特定のＯＮ／ＯＦＦパターンの一例を示す。
【図５】第１の実施形態のパッシブセンサ装置のモード切り替えを説明する図である。
【図６】第２の実施形態のパッシブセンサ装置のモード切り替えを説明する図である。
【図７】熱源のシャッタの開と閉と赤外線センサの出力電圧との関係を示した図である。
【図８】シャッタ付きの熱源を用いた場合の熱源と赤外線センサのＯＮ／ＯＦＦとの関係を示した図である
【図９】第１の実施形態に係るパッシブセンサ装置のモードの切り替え処理手順を説明するフロー図である。
【図１０】第２の実施形態に係るパッシブセンサ装置のモードの切り替え処理手順を説明するフロー図である。
【符号の説明】
【００２９】
１・・・パッシブセンサ装置、１０・・・パッシブセンサ（赤外線センサ）、２０・・・制御部、２００・・・バス、２０１・・・ＣＰＵ、２０２・・・ＲＯＭ、２０３・・・ＲＡＭ、２０４・・・ＩＯポート、２０５・・・ＡＤ変換部、２０６・・・シリアルインターフェース部、２０７・・・割り込み制御部、２０８・・・タイマ部、３０・・・通信部、４０・・・表示部。
【図１】
2010085119.tif 000003
【図２】
2010085119.tif 000004
【図３】
2010085119.tif 000005
【図４】
2010085119.tif 000006
【図５】
2010085119.tif 000007
【図６】
2010085119.tif 000008
【図７】
2010085119.tif 000009
【図８】
2010085119.tif 000010
【図９】
2010085119.tif 000011
【図１０】
2010085119.tif 000012